(57)【要約】【課題】骨材の剥離を防止できるテラゾの製造方法を提供する。【解決手段】金網２０の上に貝殻砕片１２を可撓性接着剤１４で接着し、貝殻砕片集積体２２を作製する。貝殻砕片集積体は、工場テラゾおよび現場テラゾの製造に、用いることができる。貝殻砕片集積体をセメントペーストに埋め込んで、硬化した後に、研磨し、貝殻砕片を研ぎ出す。貝殻砕片同士は、接着剤で互いに接着しているので、表面に研ぎ出された薄い貝殻砕片が、剥離することはない。【選択図】    図６
2014208588.tif 000002
【特許請求の範囲】
【請求項１】
接着剤で互いに接着された骨材を含む骨材集積体を準備する工程と、
前記骨材集積体をセメントペーストに埋め込む工程と、
前記セメントペーストを硬化させる工程と、
硬化した前記セメントペーストの表面を研磨して、前記骨材集積体を研ぎ出す工程と、
を含むテラゾの製造方法。
【発明の詳細な説明】
【技術分野】
【０００１】
本発明は、テラゾの製造方法、特に骨材の剥離を防止することのできるテラゾの製造方法に関する。
【背景技術】
【０００２】
テラゾは、大理石，花崗岩等の砕石よりなる骨材を、セメントペーストであるセメントペーストと練り混ぜて硬化させ、表面を研磨し骨材を研ぎ出して作られる人工石の一種である。表面が美しいため、建築物の壁や床などに広く利用されている。
【０００３】
テラゾには、施工現場で左官が塗り込み、研ぎ出しをする現場テラゾと、工場で製作される工場テラゾ（いわゆるテラゾタイル）とがある。
【０００４】
現場テラゾは、砕石とセメントペーストとを練り混ぜたものを床や壁などの施工箇所に打ち込み、硬化させた後に、表面を研磨し骨材を研ぎ出して製造する。
【０００５】
工場テラゾの場合、砕石とセメントペーストとを練り混ぜたものを、型枠に入れて、硬化させた後、型枠から取り出して、裏面を研磨し砕石を研ぎ出して製造する。
【０００６】
本発明者は、このようなテラゾの骨材として、砕石の代わりに貝殻，ガラス，またはプラスチック等の砕片を骨材として用いて、さらに装飾性を高めるために、種々工夫してきた。
【０００７】
本発明者は、セメントペーストと、貝殻，ガラス，またはプラスチックの砕片とを練り混ぜたものを用いて現場テラゾおよび工場テラゾ（以下、区別する必要のない場合には、単にテラゾというものとする）の製造を試みた結果、次のような問題点があることに気付いた。
【０００８】
研磨後のテラゾは、表面に貝殻，ガラス，またはプラスチックの砕片が研ぎ出されて美しい模様を形成するが、表面に研ぎ出されている薄い砕片が剥離しやすい。
【０００９】
図１に、表面に研ぎ出された表面に露出している薄い砕片が剥離する様子を示す。図１（ａ）は、硬化したセメントペースト１０に埋め込まれた砕片１２を研磨する様子を示している。図１（ｂ）に示すように、表面に研ぎ出された薄い砕片１３が剥離する。
【００１０】
特に、床をテラゾで作った場合には、靴などで砕片に力が加えられる結果、特に剥離が激しく、商品価値がなくなってしまう。このことは、セメントペーストと、貝殻，ガラス，またはプラスチックの砕片との間の付着強度が弱いことを意味している。
【００１１】
一方、テラゾの従来技術として、デザイン要素を有するテラゾ床の製造方法が、特許文献１に開示のものがある。また、雨の日等においても滑りにくいテラゾタイルが、特許文献２に開示されている。
【００１２】
しかし、これらの従来技術は、完成したテラゾからの骨材の剥離の問題を解決したものではない。
【先行技術文献】
【特許文献】
【００１３】
【特許文献１】特表２００３−５０２５３３号公報
【特許文献２】特開２００５−１３９８２２号公報
【発明の概要】
【発明が解決しようとする課題】
【００１４】
本発明の目的は、骨材の剥離を防止できるテラゾの製造方法を提供することにある。
【課題を解決するための手段】
【００１５】
本発明者は、鋭意工夫を重ねた結果、貝殻，ガラス，プラスチックなどの砕片（骨材）同士を接着剤で予め接着して骨材の集積体を形成し、この骨材集積体を結合剤に埋め込んで、研磨しテラゾを製造することを考案した。本願の請求項１に係る発明は、網目部材の上に骨材を適宜の厚さに積層し、骨材同士並びに骨材と網状部材とを、可撓性接着剤で接着することにより可撓性を有する骨材集積体を準備する工程と、現場テラゾを形成しようとする湾曲表面部位にセメントペーストを下塗りする工程と、前記骨材集積体を、前記網状部材が前記下塗りしたセメントペーストに接するようにして、かつ巻き始め端と巻き終わり端とを前記湾曲表面部位にピンで固定することにより、前記湾曲表面部位に巻き付ける工程と、前記湾曲表面部位に巻き付けた前記骨材集積体を埋め込んでしまう程度に前記骨材集積体の上からセメントペーストを上塗りし、該上塗りしたセメントペーストを硬化させる工程と、硬化した前記セメントペーストの表面を研磨して、前記骨材集積体を研ぎ出す工程と、を含むことを特徴とするテラゾの製造方法である。この請求項１に係る発明は、後述する実施例として説明している工場テラゾについては除外し、現場テラゾのみを対象とするものとして、かつ後述する実施例３，４を含み、実施例１，２，６，７については除外した発明である。
第１の製造方法は、網状部材の上に骨材を適宜の厚さに積層し、骨材同士並びに骨材と網状部材とを、可撓性接着剤で接着することにより可撓性を有する骨材集積体を準備する工程と、現場テラゾを形成しようとする湾曲表面部位にセメントペーストを下塗りする工程と、前記骨材集積体を、前記網状部材が前記下塗りしたセメントペーストに接するようにして、かつ巻き始め端と巻き終わり端とを前記湾曲表面部位にピンで固定することにより、前記湾曲表面部位に巻き付ける工程と、前記湾曲表面部位に巻き付けた前記骨材集積体を埋め込んでしまう程度に前記骨材集積体の上からセメントペーストを上塗りし、該上塗りしたセメントペーストを硬化させる工程と、硬化した前記セメントペーストの表面を研磨して、前記骨材集積体を研ぎ出す行程と、を含むことを特徴とするテラゾの製造方法である。
また、第２の製造方法は、第１の製造方法において、前記骨材集積体を準備する工程の後、前記セメントペーストを下塗りする行程の前に、前記セメントペーストの入った容器に前記骨材集積体を漬けて、振動を与えることにより、前記骨材集積体の隙間にセメントペーストを入り込ませる工程を含むことを特徴とするテラゾの製造方法である。
また、第３の製造方法は、第１の製造方法において、前記セメントペーストを下塗りする行程の後に、前記骨材集積体を巻き付けてかつ振動を与えることにより、前記下塗りしたセメントペーストが前期網状部材を通して前記骨材集積体の隙間に入り込ませる工程を含むことを特徴とするテラゾの製造方法である。
また、第４の製造方法は、第１から第３のいずれかの製造方法において、前記骨材集積体は、前記網状部材に前記骨材が板状または塊状となるように前記可撓性接着剤で接着されているテラゾの製造方法である。
また、第５の製造方法は、第１から第４のいずれかの製造方法において、前記骨材は、貝殻、ガラス、またはプラスチックであるテラゾの製造方法である。
【００１６】
砕片同士が接着剤で接着されているので、研磨で研ぎ出された表面に露出している薄い砕片は、隣接する砕片に接着している。したがって、剥離することはない。
【００１７】
接着剤は、骨材集積体に可撓性をもたせる場合には、可撓性接着剤を用いる。
【００１８】
骨材の集積体は、支持部材の上に砕片が集積された構造にするのが好適である。支持部材は、網状部材またはシート状部材を用いる。
【００１９】
このような支持部材の上に、骨材を板状あるいは塊状に集積する。ここに、板状に集積するとは、一枚の平らな状態にして集積することを意味し、塊状に集積するとは、砕片の塊を複数分散して集積することを意味している。
【００２０】
接着剤が可撓性接着剤である場合には、板状の骨材集積体自体が可撓性を有するようになるので、例えば現場テラゾの場合に、曲面状の場所に施工することができる。また、工場テラゾの場合に、曲面状のテラゾタイルを容易に製作することができる。
【００２１】
支持部材上に塊状集積された骨材の集積体の場合、骨材を塊に接着するための接着剤は、可撓性接着剤でなくともよい。骨材の塊の間は、接着していないので、骨材の塊が支持部材から脱離することなしに、支持部材を湾曲させることができる。上記と同様に、現場テラゾの場合に、曲面状の場所に施工することができる。また、工場テラゾの場合に、曲面状のテラゾタイルを容易に製作することができる。
【発明の効果】
【００２２】
本発明のテラゾの製造方法によれば、予め骨材同士を接着剤で互いに接着しておくので、研ぎ出されて表面に現れている薄片の骨材は、隣接する骨材に接着しているので剥離されない。したがって、セメントペーストと接着力が弱い骨材を利用できるようになった。
【００２３】
支持部材と骨材とが一体となった骨材集積体は、取り扱いが容易となり、特に、現場テラゾの場合、骨材集積体を壁や柱などに塗り込めるので、作業が簡単になる。また、施工箇所が曲面を有するような複雑な場合にも、可撓性のある骨材集積体を湾曲させて施工箇所に取り付けることにより、製造することができる。したがって、熟練の職人でも難しい壁面や複雑な対象物であっても、非熟練者が容易に施工できる。
【００２４】
また、従来は、現場テラゾの場合、骨材が混ぜ合わされたセメントペーストを施工箇所に塗り込める場合、一気に塗り込めないと、乾いた部分との継ぎ目が弱くなり、ひび割れ等が入り、そこから骨材が剥離する。これを防止するために、施工箇所を目地（真鍮，ステンレス，木など）で区切って、区切られた領域を一気に塗り込めている。しかし、本発明によれば、骨材が剥離しないので、このような目地を設ける必要がない。
【図面の簡単な説明】
【００２５】
【図１】砕片の剥離の様子を示す図である。
【図２】貝殻砕片集積体の断面図である。
【図３】テラゾタイルの製造を示す断面図である。
【図４】研磨する前のテラゾタイルの断面図である。
【図５】表面に研ぎ出された薄い砕片が、隣接する砕片に接着している様子を示す図である。
【図６】金網の上に形成された貝殻砕片集積体を示す断面図である。
【図７】金網の上に形成された渦巻き状の貝殻砕片集積体を示す平面図である。
【図８】テラゾタイルの製造を示す断面図である。
【図９】テラゾタイルの平面図である。
【図１０】金網上に形成された貝殻砕片集積体を作成する工程を示す図である。
【図１１】貝殻砕片集積体を丸柱に取り付ける工程を示す図である。
【図１２】セメントペーストを上塗りする工程を示す図である。
【図１３】研磨後に貝殻砕片が浮き出された様子を示す図である。
【図１４】金網上に形成された貝殻砕片集積体を丸柱に取り付ける工程を示す図である。
【図１５】金網上に分散配置された貝殻砕片塊を示す図である。
【図１６】貝殻砕片の塊を、セメントペーストに混ぜ合わせた様子を示す図である。
【図１７】ＰＢＶシート上に形成された貝殻砕片集積体を示す断面図である。
【図１８】ＰＢＶシート上に形成された貝殻砕片集積体を丸柱に取り付ける工程を示す図である。
【発明を実施するための形態】
【００２６】
骨材は、セメントペーストと接着力の弱いものであれば、いかなる種類のものであってもよい。例えば、貝殻，ガラス，またはプラスチックである。
【００２７】
骨材を接着する接着剤は、骨材を接着できるものであれば、いかなる種類のものであってもよい。無機系接着剤，有機系接着剤，合成系接着剤のいずれをも用いることができる。骨材集積体に可撓性が求められる場合には、可撓性接着剤を用いる。可撓性接着剤には、ブチラール系接着剤，シリコーン系接着剤，ゴム系接着剤などがある。ブチラール系接着剤としては、ポリビニルブチラール樹脂接着剤が好適である。
【００２８】
支持部材として用いる網状部材としては、ステンレス等の金属線または金属繊維，炭素繊維，グラスファイバ繊維など、いかなる種類のものであってもよい。
【００２９】
以下の各実施例では、代表的に、骨材として破砕された貝殻を用いるものとする。貝殻としては、光沢のあせないアコヤ貝またはアワビ貝が最適である。また、可撓性接着剤には、代表的に、ポリビニルブチラール樹脂接着剤を用いるものとする。
【００３０】
支持部材としては、代表的に、金網またはポリビニルブチラール樹脂シートを用いるものとする。ポリビニルブチラール樹脂シートは、自動車の合わせガラスの中間膜として用いられているものである。したがって、廃棄された合わせガラスから回収されたシートを利用することができる。
【００３１】
まず、工場テラゾ（テラゾタイル）を、続いて現場テラゾの製造方法の実施例を説明する。
【実施例１】
【００３２】
テラゾタイルの製造方法（支持部材を用いない場合）
まず、貝殻、例えばアコヤ貝を、３〜７ｍｍ程度の大きさに砕いて、貝殻砕片を準備する。
【００３３】
貝殻砕片を、接着剤との馴染みをよくするために、弱アルカリ洗浄液によって洗浄する。
【００３４】
ポリビニルブチラール樹脂をメタノール等の溶剤で溶かし（例えば、樹脂：溶媒の容積比で１：４）、可撓性接着剤を作る。
【００３５】
図２に示すように、アコヤ貝の砕片１２を、容器に入った可撓性接着剤１４に漬けて、可撓性接着剤で互いに接着して、１０ｍｍ程度の厚さの板状の貝殻砕片集積体１６を作製する。なお、貝殻砕片集積体を、後述する成形型内で作ることもできる。
【００３６】
一方、白色セメントおよび色粉を水と練り混ぜたセメントペースト１０を準備しておく。
【００３７】
図３に示すように、作製された貝殻砕片集積体１６を、箱状の成形型１８内に置く。続いて、セメントペースト１０を成形型１８内に注入する。このとき、貝殻砕片集積体１６はセメントペースト１０の底に沈んだ状態にある。セメントペーストの注入量は、貝殻砕片集積体の全体が浸される程度にする。
【００３８】
このとき、貝殻砕片集積体１６の隙間に、セメントペーストが入り込むようにするために、成形型１８に振動機などで振動を加える。あるいは、貝殻砕片集積体１６に直接に振動機などで振動を加えてもよい。あるいは、振動機などで振動を加えた後に、さらに貝殻砕片集積体１６に直接に振動機などで振動を加えるようにしてもよい。
【００３９】
貝殻砕片集積体１６の隙間にセメントペースト１０が入り込んだのを確認した後、放置し、セメントペーストが完全に硬化したら、タイルを成形型から取り出す。図４に示すように、タイルを上下反転して、上面（貝殻砕片集積体のある側）を研磨して、貝殻砕片１４を研ぎ出し、貝殻砕片が表面に現れ、美しい模様が浮き出したテラゾタイルが製造される。
【００４０】
なお、セメントペーストが完全に硬化しなくても、研磨可能な高度まで硬化したら、研磨を開始してもよい。
【００４１】
以下、単に「硬化」という場合には、完全硬化および研磨可能な高度までの硬化の両方の意味で用いるものとする。
【００４２】
このようにして製造されたテラゾタイルは、図５に示すように、タイル表面に研ぎ出された薄い貝殻砕片１３は、隣接する貝殻砕片に接着しているので、剥離することがない。
【実施例２】
【００４３】
テラゾタイルの製造方法（支持部材として金網を用いる場合）
実施例１で説明した貝殻砕片１２を、図６に示すように、可撓性のある金網２０の上に積層し、実施例１で説明した可撓性接着剤１４が入った容器（図示せず）に漬けて、接着剤が十分に付着したら、容器より引き上げ、形を整えて乾燥させ、貝殻砕片１２同士、貝殻砕片１２と金網２０とが接着した貝殻砕片集積体２２を作製する。
【００４４】
このとき、研ぎ出されたときの模様を考慮する場合には、模様を予測して金網２０の上に貝殻砕片１２を積層配置する。本実施例では、図７に示すように、渦巻き状に貝殻砕片１２を積層配置する。
【００４５】
このようにして作製された貝殻砕片集積体２２を、図８に示すように、金網を上にして、貝殻砕片集積体を箱状の成形型１８内に置く。続いて、セメントペースト１０を成形型１８内に注入する。
【００４６】
このとき、実施例１と同様に、貝殻砕片集積体２２の隙間にセメントペースト１０が入るようにするために、振動機（図示せず）などで成形型１８に振動を加える。あるいは、貝殻砕片集積体２２に直接に振動機などで振動を加えてもよい。あるいは、成形型１８に振動機などで振動を加えた後に、さらに貝殻砕片集積体２２に直接に振動機などで振動を加えるようにしてもよい。
【００４７】
セメントペースト１０が硬化した後、成形型１８より取り出し、貝殻砕片のある面を研磨し、貝殻砕片１２を研ぎ出し、テラゾタイル２４を製造する。図９に、研ぎ出されて、タイルの表面に浮き出た貝殻砕片１２で形成された模様を示す。
【００４８】
本実施例では、金網を用いる場合について説明したが、他の繊維網やポリビニルブチラール樹脂シートを用いてもよい。
【００４９】
なお、実施例１および２では、平板状のテラゾタイルを製造する場合について説明したが、貝殻砕片集積体は可撓性があるので、湾曲したテラゾタイルの製造も可能である。
【００５０】
可撓性接着剤ではなく、通常の接着剤でもよい。この場合には、貝殻砕片集積体は、可撓性がないので、平板テラゾタイルのみの製造となる。
【実施例３】
【００５１】
現場テラゾの製造方法（支持部材として可撓性のある金網を用いる場合）
丸柱の外周面に、テラゾを製造する例を、図１０を参照して説明する。なお、この実施例３は、請求項１および２に対応している。
【００５２】
図１０に示すように、貝殻、例えばアコヤ貝を、３〜７ｍｍ程度の大きさに砕いて、弱アルカリ洗浄液によって洗浄した貝殻砕片１２を準備する。
【００５３】
一方、ポリビニルブチラール樹脂をメタノール等の溶剤で溶かし（例えば、樹脂：溶媒の容積比で１：４）、可撓性接着剤１４を作る。
【００５４】
貝殻砕片１２を、実施例２で説明したように、可撓性のある金網２０の上に１０ｍｍ程度の厚さに積層し、貝殻砕片同士、貝殻砕片と金網とを、可撓性接着剤１４で接着し、貝殻砕片集積体２６を作製する。貝殻砕片集積体２６は、金網２０および可撓性接着剤１４が可撓性であるので、容易に湾曲する。
【００５５】
次に、白色セメントおよび色粉に水を練り混ぜて、セメントペースト１０を準備し、図１０に示すように、セメントペースト１０の入った容器２８に貝殻砕片集積体２６を漬けて、容器２８に振動機などにより振動を加えたりして、貝殻砕片集積体２６の隙間にセメントペースト１０が入り込むようにする。あるいは、貝殻砕片集積体２６に直接に振動機などで振動を加えてもよい。あるいは、容器２８に振動機などで振動を加えた後に、さらに貝殻砕片集積体２６に直接に振動機などで振動を加えるようにしてもよい。
【００５６】
同時に、白色セメントおよび色粉に水を練り混ぜて、セメントペースト３０を準備する。このセメントペーストを、図１１に示すように、丸柱３２の表面に下塗りする。
【００５７】
セメントペースト１０が貝殻砕片１２の隙間に入り込んだ貝殻砕片集積体２６を、セメントペーストが硬化しないうちに、金網２０が下地のセメントペースト３０に接するようにして、湾曲させながら、下塗りされた丸柱３２に巻き付け、貝殻砕片集積体２６の端部同士を例えばピン（図示せず）などで固定し、取り付ける。
【００５８】
なお、丸柱３２の施工面積が大きい場合には、複数個の貝殻砕片集積体を湾曲させながら、下塗りされた丸柱上に、ピンなどで固定しながら、取り付けていく。
【００５９】
次に、図１２に示すように、貝殻砕片集積体２６を埋め込んでしまう程度に表面にセメントペースト３４を上塗りする。
【００６０】
上塗りセメントペースト３４が完全硬化した後、セメントペーストの外面を研磨し、貝殻砕片を研ぎ出す。
【００６１】
研磨は、ダイアモンド砥粒を樹脂で固めたダイアパッドを取り付けたポリッシャーを用い、粒度の荒いものから小さいものへ順次パッドを取り換えながら、研磨する。一部、サンダーや砥石を用いることもできる。
【００６２】
なお、セメントペースト３４が完全に硬化しなくても、研磨可能な高度まで硬化したら、研磨を開始してもよい。硬化を意図的に遅らせる必要がある場合には、硬化遅延剤をセメントペースト３４に混入させ、養生を施して硬化を遅らせてもよい。
【００６３】
研磨の結果、図１３に示すように、貝殻砕片１２が表面に現れ、美しい模様が形成される。
【実施例４】
【００６４】
現場テラゾの製造方法（支持部材として可撓性のある金網を用いる場合）
実施例３では、貝殻砕片集積体２６の隙間にセメントペースト１０が充填されるようにするために、セメントペースト１０の入った容器２８に貝殻砕片集積体２６を漬けて、容器２８に振動機などにより振動を加えた。あるいは、貝殻砕片集積体２６に直接に振動機などで振動を加えてもよい。あるいは、容器２８に振動機などで振動を加えた後に、さらに貝殻砕片集積体２６に直接に振動機などで振動を加えるようにしてもよい。
本実施例では、この工程を行うことなく、図１４に示すように、下地のセメントペースト３０が塗られた丸柱３２に、貝殻砕片集積体２６の一方の片端をピン等（図示せず）で固定し、巻き付ける。下地のセメントペースト３０が金網２０を通して貝殻砕片集積体２６の隙間に入り込むように、ゴムハンマーや、振動機などで（図では、ゴムハンマー３６を用いる例を示す）、振動を貝殻砕片集積体２６に加える。セメントペースト３０が、貝殻砕片の隙間に入り込み、貝殻砕片集積体の表面に出てくるようになると、貝殻砕片集積体２６を丸柱３２に締め付けるようにして、貝殻砕片集積体２６の他方の片端をピン等（図示せず）で丸柱３２に固定する。
【００６５】
その後の工程は、実施例３と同じである。なお、この実施例４は、請求項１および３に対応している。
【実施例５】
【００６６】
現場テラゾの製造方法（支持部材として可撓性のある金網を用いる場合）
実施例３，４は、板状の貝殻砕片集積体を用いる場合である。本実施例では、塊状の貝殻砕片集積体を用いる場合について、説明する。
【００６７】
図１５（ａ）は、可撓性のある金網２０の上に塊状の貝殻砕片４０（以下、貝殻砕片塊という）を分散配置した状態を示す。貝殻砕片塊４０は、貝殻砕片を接着剤で接着したものである。この場合、接着剤は、可撓性接着剤である必要はない。
【００６８】
貝殻砕片塊４０の間は空いているので、図１５（ｂ）に示すように、金網２０を湾曲させることができる。
【００６９】
本実施例の貝殻砕片集積体は、実施例３，４と同様に、曲面のある場所にテラゾを製造施工する場合に、利用できる。
【００７０】
この方法は、工場テラゾの製造にも、適用できることは、明らかである。この場合、曲面状のテラゾタイルを、製造できる。
【実施例６】
【００７１】
現場テラゾの製造方法（貝殻砕片塊を用いるもの）
実施例５は、金網の上に貝殻砕片塊を分散配置したが、本実施例では、金網を用いずに、図１６に示すように、貝殻砕片塊４０を、セメントペースト４２に混ぜ合わせて、これを施工箇所に塗り込めて、硬化、研磨する。
【００７２】
この方法は、工場テラゾの製造にも、適用できることは、明らかである。
【実施例７】
【００７３】
現場テラゾの製造方法（可撓性のある接着性シートを用いる場合）
貝殻砕片および可撓性接着剤の準備は、実施例３と同じである。
【００７４】
可撓性のある接着性シート、例えばポリビニルブチラール樹脂シートを準備する。図１７に示すように、貝殻砕片１２を集積して、貝殻砕片１２同士、および貝殻砕片１２とシート４４とを、可撓性接着剤１４で接着して、貝殻砕片集積体４６を作製する。
【００７５】
次に、図１８に示すように、シート４４の可撓性および接着性を利用して、丸柱３２の表面に圧着して貼り付ける。このとき、貝殻砕片集積体４６を５００〜６００℃に温風で加熱しながら行うと、シート４４の表面が溶けるのでシートの接着力が増し、丸柱３２の表面への貼り付けが容易になる。また、丸柱自体を温風で加熱しておいて、貼り付けてもシートの接着力が増す。
【００７６】
次に、貝殻砕片集積体４６の上にセメントペーストを上塗りする。このとき、貝殻砕片集積体４６の隙間にセメントペーストを充填させるために、刷毛でセメントペーストを塗るとかの工夫が必要になる。刷毛を利用する場合において、刷毛に機械的な振動を加えながら塗れば、セメントペーストがさらに貝殻砕片集積体４６の隙間に充填される。
【００７７】
その後の工程は、金網を用いた場合と同じである。
【００７８】
本実施例においても、美しい模様が形成された、テラゾが円柱表面に製造できる。
【００７９】
本実施例では、可撓性および接着性を有するポリビニルブチラール樹脂シートを用いたが、可撓性を有するが接着性を有さないシートを用いる場合には、丸柱の表面へ圧着して貼り付ける際に、シートの裏面に接着剤を塗布すればよい。
【符号の説明】
【００８０】
１０，３０，３４，４２ セメントペースト
１２ 貝殻砕片
１４ 可撓性接着剤
１６，２２，２６，４６ 貝殻砕片集積体
１８ 成形型
２０ 金網
２４ テラゾタイル
２８ 容器
３２ 丸柱
３６ ゴムハンマー
４０ 貝殻砕片塊
４４ ポリビニルブチラール樹脂シート
【図１】
2014208588.tif 000003
【図２】
2014208588.tif 000004
【図３】
2014208588.tif 000005
【図４】
2014208588.tif 000006
【図５】
2014208588.tif 000007
【図６】
2014208588.tif 000008
【図７】
2014208588.tif 000009
【図８】
2014208588.tif 000010
【図９】
2014208588.tif 000011
【図１０】
2014208588.tif 000012
【図１１】
2014208588.tif 000013
【図１２】
2014208588.tif 000014
【図１３】
2014208588.tif 000015
【図１４】
2014208588.tif 000016
【図１５】
2014208588.tif 000017
【図１６】
2014208588.tif 000018
【図１７】
2014208588.tif 000019
【図１８】
2014208588.tif 000020
【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
接着剤で互いに接着された骨材を含む骨材集積体を準備する工程と、
前記骨材集積体をセメントペーストに埋め込む工程と、
前記骨材集積体若しくはそれを入れる容器に振動を与えながら前記骨材集積体の隙間に前記セメントペーストを入れる工程と、
前記セメントペーストを硬化させる工程と、
硬化した前記セメントペーストの表面を研磨して、前記骨材集積体を研ぎ出す工程と、
を含むテラゾの製造方法。
【請求項２】
前記骨材集積体を準備する工程は、骨材を集積し接着剤で互いに接着して、一体化された板状に作成する工程を含む、請求項１に記載のテラゾの製造方法。
【請求項３】
前記骨材集積体を準備する工程は、骨材を接着剤で互いに接着した骨材塊を、複数個作成する工程を含む、請求項１に記載のテラゾの製造方法。
【請求項４】
前記骨材集積体は、支持部材の上に接着されている、請求項２または３に記載のテラゾの製造方法。
【請求項５】
前記支持部材は、網状部材またはシート状部材である、請求項４に記載のテラゾの製造方法。
【請求項６】
前記網状部材は金網であり、前記シート状部材はポリビニルブチラール樹脂シートである、請求項５に記載のテラゾの製造方法。
【請求項７】
前記接着剤は、可撓性接着剤である請求項１〜６のいずれかに記載のテラゾの製造方法。
【請求項８】
前記可撓性接着剤は、ポリビニルブチラール樹脂を溶剤に溶かしたものである、請求項７に記載のテラゾの製造方法。
【請求項９】
前記骨材集積体を準備する工程は、網状部材若しくはシート状部材の上に前記骨材を積層し、前記骨材同士並びに前記骨材と前記網状部材若しくは前記シート状部材とを前記接着剤により接着する工程であり、かつ
前記骨材集積体をセメントペーストに埋め込む工程は、前記網状部材の側若しくはその反対側、あるいは前記シート状部材の反対側から前記セメントペーストを供給して行う工程であることを特徴とする請求項１〜８のいずれかに記載のテラゾの製造方法。
【請求項１０】
前記骨材集積体をセメントペーストに埋め込む工程は、テラゾを施工する箇所において実施する、請求項８に記載のテラゾの製造方法。
【請求項１１】
前記骨材集積体をセメントペーストに埋め込む工程は、成形型内において実施する、請求項８に記載のテラゾの製造方法。
【請求項１２】
前記骨材は、貝殻，ガラス，またはプラスチックである、請求項１〜１１に記載のテラゾの製造方法。
【請求項１３】
接着剤で互いに接着された骨材を含む骨材集積体と、
前記骨材集積体の隙間に充填されるセメントペーストを硬化させたセメントと、
を有し、前記セメントと前記骨材集積体の研磨表面に、前記骨材集積体の一部が現れるテラゾ。
【請求項１４】
前記骨材集積体は、支持部材の上に接着されて成る、請求項１３に記載のテラゾ。
【請求項１５】
前記支持部材は網状部材である、請求項１４に記載のテラゾ。
【請求項１６】
前記支持部材はシート状部材である、請求項１４に記載のテラゾ。